(57)【特許請求の範囲】
【請求項１】
ポリエチレン等の硬質の樹脂材料により網目状にして帯状体になし、該帯状体の両端を接合して筒状にせる保護ガードと、該保護ガードを地面等に筒状に起立させて、この囲撓された空間に塵埃を収納せる際、この上部開口部を被覆せる柔軟性を備えた網状の被覆体とにより構成してなり、前記保護ガードは端縁をその全域に亘り、該保護ガードより網目の大きさの小さい剛性のネットベルトを被覆して補強させ、前記保護ガードの長さ方向に間隔をもって、網目の大きさが前記保護ガードの網目よりも大きい幅狭のネットを補強材として複数設けて、前記保護ガードを不使用の際には、該保護ガードを二つ折りにして渦巻状の筒体に巻回可能にしたことを特徴とせる塵埃収納装置。
【請求項２】
前記保護ガードは、筒状に巻回せる際、保護ガードに設けた固定体のフック部を保護ガードの網目状部に引掛けるようにしたことを特徴とせる請求項１記載の塵埃収納装置
【請求項３】
前記保護ガードは、網目の大きさを５乃至１５ｍｍにしたことを特徴とせる請求項１乃至２記載の塵埃収納装置。
【発明の詳細な説明】
【技術分野】
【０００１】  本発明は、塵埃収納装置に係り、特に家庭にて発生する生ゴミ等の生活塵埃を公共団体による収集前に一時的に集積保管を行う収納装置に関する。
【背景技術】
【０００２】  一般家庭等にて発生する生活塵埃、特に生活ゴミの処理対策としては環境上の問題から公共団体に依存するところが多く、近年では生ゴミ処理機などにより独自に処理を行う家庭も増加しつつあり、充分な処理対策が行われていないのが現状である。【０００３】  生活ゴミの処理対策は、市町村によるゴミ収集により一括して焼却施設による処理が行われる方式がとられるようになったが、収集前の一時的な集積保管には多くの問題が発生している。【０００４】  市街地における一時的なゴミ集積には、烏などの鳥類、犬、猫などの小動物類が、生ゴミをねらって餌あさりを行い、結果として保管地域を汚損し環境を破壊したり、道路などを通行不可能にするなどの問題を伴うことになった。【０００５】  従来から家庭等から発生するゴミは、各家庭毎にビニール袋を利用して、これを小グループ毎に指定場所を設置して一時的に集積保管を行うところが殆んどで、これら集積ゴミふくろは、
（１）漁網のような自由自在に変形できる被覆網によって全体を被覆したり、
（２）所定の大きさの網篭を容器状にしたものとして実用新案登録第３０５２１６８号
（３）不使用時には折りたたみによって嵩を小さくし、使用時には所定の大きさに組みたてるようにした篭容器にしたものとして実用新案登録第３０９５４４０号及び特開２００３−８９４０１
（４）硬質の細長状の棒状体をシャッター式に多数並列に屈曲変形自在の筒状の囲い壁により収容具を構成したものとして実用新案登録第３０８６２２３号
の各方式によって一時的な保管を行う方式が提唱されている。【０００６】  上記従来例のうち、現在殆どの市街地で使用されている被覆網を集積ゴミ袋に被覆する方式では、集積場所が定まらず街の美観を損ねて環境破壊を招き交通の妨げを起こすなど多くの問題点があった。【０００７】  また、上記（２）及び（３）に至っては、使用時はその目的は達成されるものの、不使用時には設置場所或いは保管場所に多くの場所を必要として市街地では有効な利用には不適切なものとなっていた。【０００８】  次に、上記（４）に述べた集納具では、筒状の囲い壁は硬質の細長状の棒状体をシャッター式に多数並列に、屈曲変形自在の筒状に形成するので、使用時の設置場所では風による転倒が生じ、その爲内部に収納した生ゴミを含む塵埃袋は烏などの鳥類或いは犬、猫などの餌となり初期の目的が達せられないこととなる。
【発明の開示】
【発明が解決しようとする課題】
【０００９】  上記のような従来の方式による問題点に鑑み、本発明はこれらの欠点を解消して一般家庭用に適した塵埃収納装置を提供する。【００１０】  すなわち、本発明により、風雨などを考慮した耐候性にすぐれ、長期の使用に耐えることができ、且つ著しく軽量化の為持ち運び及び不使用時の片づけを容易にした塵埃収納装置を提供する。
【課題を解決するための手段】
【００１１】  上記の課題は、以下の構成によって達成できる。【００１２】  本願の請求項１に係る発明の塵埃収納装置は、ポリエチレン等の硬質の樹脂材料により網目状にして帯状体になし、該帯状体の両端を接合して筒状にせる保護ガードと、該保護ガードを筒状に起立させて、この囲撓された空間に塵埃を収納せる際、この上部開口部を被覆せる柔軟性を備えた網状の被覆体とより構成してなり、前記保護ガードは筒状の端縁をその全域に亘り、該保護ガードより目合いの小さい剛性のネットベルトを被覆して補強させ、その長さ方向に間隔をもって複数の補強材を設けて、保護ガードを不使用の際には、二つ折りにしてこれを渦巻状の筒状に巻回可能にしたことを特徴としている。【００１３】  本願の請求項２に係る発明は、前記保護ガードは、筒状に巻回せる際、保護ガードに設けた固定体のフック部を保護ガードの網目状部に引掛けるようにしたことを特徴としている。【００１４】  本願の請求項３に係る発明は、前記保護ガードはその目合いの大きさを５乃至１５ｍｍにしたことを特徴としている。
【発明の効果】
【００１５】  請求項１記載の塵埃収納装置によれば、保護ガードはポリエチレン等の硬質の樹脂材料によって網目状にして帯状体になし、この帯状体の両端を接合して筒状にして囲まれた空間を生活ゴミを一時的に集積保管を行う構成となる。その結果、設置場所やスペースによって囲い形状を長方形、四角形、三角形、円形或いは変形円形等自由自在に広げて使用可能とする。
又、生活ゴミ袋を収納した場合、強風等にて網目部分が緩衝作用を行い定位置を保持して倒立を防ぐことができる。更に、不使用時には後片づけが容易にできる。【００１６】  更に、保護ガードの空間に、柔軟性の網状の被覆体を被せるだけの簡単な作業で生活ゴミ袋の出し入れが行うことができ、収納量が増減しても設置場所を異常状態にすることがない。【００１７】  請求項２記載の塵埃収納装置によれば、保護ガードは筒体に巻回せる際、保護ガードに設けた固定体のフック部を保護ガードの網目状部に引掛けるようにしたので、ゴミ袋の量に関係なく、フックの位置を特定の位置に限ることなく、位置を変更して全体を調整することが出きる。【００１８】  請求項３によれば、保護ガードはその目合いの大きさを５乃至１５ｍｍ．にしたことにより、内部に生活ゴミを収納したときにはカラスなどの嘴による被害を防ぎ、収納ゴミが逸脱するのを防止して安定に収納することができる。
【実施例】
【００１９】  以下、具体的な構成例に基づいて塵埃収納装置を説明し、実施例をもとに従来品との比較を行う。【００２０】  本発明は、生活ゴミ特に生ゴミを収納せるビニール袋を一般家庭から持ち寄って公共団体の収集前に一時的に集積保管を行う装置に関するものであって、内部に囲撓された収納空間１を設けた保護ガード２と、前記空間１の上部開口部を被覆する被覆体３とより構成している。【００２１】  前記保護ガード２は、ポリエチレン等の硬質の樹脂材料より網目状にして帯状体になし、該帯状体の両端を接合してつつじょうに形成する。
この硬質の樹脂材料は、商標名ダイプラネトロンと称して大日本プラスチックスの販売せる「ＮＳＫ１１」を用いて幅４００ｍｍ．、長さ５０００ｍｍ．に切断し、その両端を１０ｍｍ．乃至１５ｍｍ．重合し耐水、耐候性のある細い紐Ｈで縫い合わせる。この縫い合わせに代えて熱溶着により重合接着させても良い。
前記の商品は、正方形の網目をしており、それぞれその内径は１０ｍｍ，ではあるが、烏の嘴が入らない程度の大きさがよく、５乃至１５ｍｍ，の範囲内が好ましく、方形、菱形、円形など何れの形状でも烏の嘴を考慮したものであればよい。【００２２】  前記保護ガード２は、筒状に形成され、その端縁を目合いの小さい剛性のネットベルト４によって被覆され耐水・耐候性の紐Ｈによりミシン等で縫合して取り付けられる。このネットベルト４は、同じくネトロンシートＤ６が望ましく、端縁を被覆しているが、保護ガード２の端縁を折り曲げてこのネットベルト４を内部に巻き込んで縫合しても同等の効果が得られる。【００２３】  前記保護ガード２は、その長さ方向に４〜６カ所間隔をおいて幅狭の補強材５を接合させている。この補強材５は、剛性のあるネットで網目の大きさは保護ガード２より大きく、両端を保護ガードの内側に当接して端縁部分にて剛性のある紐Ｈにて縫合される。【００２４】  上記の如く構成せる保護ガード２は、内部に収納空間１をつくり、この空間に生活ゴミを収納せるゴミ袋Ｇを収納し、その上部を柔軟性のある網状の被覆体３を被せて、収納したゴミ袋Ｇを一時保管を行う。
ここに用いる被覆体３は現在市販され一般に用いられている網状体のものである。【００２５】  不使用になった保護ガード２は、図８，９，１０に示す如く、巻きつける端部を表示する表示体６を目印にして、ここを中心になるよう巻回して筒体状にしたのち固定体７によって筒状に維持する。この固定体７は単なるフックで保護ガード２の網目状部に引掛けるか或いはベルトにて筒体全体を巻装し、場合によってはこのベルトにより保護ガード２を巻装したまま電柱などの固定してもよい。【００２６】  保護ガード２は図２（Ａ）〜（Ｃ）に示した通り、設置場所の条件により必要に応じて変形して使用される。【００２７】  保護ガードは、ポリエチレン等の硬質の樹脂材料によって構成して、耐候性にすぐれ、燃焼によっても環境破壊を招くことなく、リサイクル可能などすぐれた特徴を備えている。
【図面の簡単な説明】
【００２８】
【図１】本発明を実施した装置の斜面図
【図２】本発明の保護ガードの使用形態を示す斜面図で、（Ａ）、（Ｂ）、（Ｃ）は任意に選択できる例を示す。
【図３】保護ガードの両端接合部を示す斜視図
【図４】保護ガードとネットベルトの接合状態を示す斜視図
【図５】保護ガードと補強材との接合状態を示す斜視図
【図６】保護ガードの平面図
【図７】ネットベルトの平面図
【図８】保護ガードの巻回開始時の斜視図
【図９】同じく保護ガードの巻回過程の斜視図
【図１０】同じく保護ガードの巻回完了時の斜視図
【符号の説明】
【００２９】１    収納空間
２    保護ガード
３    被覆体
４    ネットベルト
５    補強材
６    表示体
７    固定体
Ｇ    ゴミ袋
Ｈ    紐
【図１】
0004482625.tif 000002
【図３】
0004482625.tif 000003
【図２（Ａ）】
0004482625.tif 000004
【図２（Ｂ）】
0004482625.tif 000005
【図２（Ｃ）】
0004482625.tif 000006
【図４】
0004482625.tif 000007
【図５】
0004482625.tif 000008
【図６】
0004482625.tif 000009
【図７】
0004482625.tif 000010
【図８】
0004482625.tif 000011
【図９】
0004482625.tif 000012
【図１０】
0004482625.tif 000013